(57)【要約】【課題】長尺体の劣化を防止し、遊技機の耐久性を高めることができる遊技機を提供する。【解決手段】遊技領域に配された枠体の内部に収容された動力源と、枠体に回動可能に支持された一端部と、動力源により、遊技領域内の第１位置と第２位置との間を揺動する他端部とを有する駆動リンクと、直列に順次接続された２以上の従動リンクを有し、２以上の従動リンクにより枠体と駆動リンクの他端部とを連結した従動体と、復元力を有し、細長形状に形成され、従動リンクの接続される接続方向に２以上の従動リンクを貫通するように装着され、駆動リンクを第１位置に揺動させたとき、復元力により接続方向に対する曲率を小さく、駆動リンクを第２位置に揺動させたとき、復元力に抗して接続方向に対する曲率を大きくなるよう配設された長尺体と、を有する。【選択図】図２
2010012042.tif 000002
【特許請求の範囲】
【請求項１】
遊技領域に設けられた演出用可動体を有する遊技機において、
前記演出用可動体は、
前記遊技領域に配された枠体の内部に収容された動力源と、
前記枠体に回動可能に支持された一端部と、前記動力源により、前記遊技領域内の第１位置と第２位置との間を揺動する他端部とを有する駆動リンクと、
直列に順次接続された２以上の従動リンクを有し、該２以上の従動リンクにより前記枠体と前記駆動リンクの他端部とを連結した従動体と、
復元力を有し、細長形状に形成され、前記各従動リンクが接続される接続方向に前記２以上の従動リンクを貫通するように装着され、前記駆動リンクを前記第１位置に揺動させたとき、前記復元力により前記接続方向に対する曲率を小さく、前記駆動リンクを前記第２位置に揺動させたとき、前記復元力に抗して前記接続方向に対する曲率を大きくなるよう配設された長尺体と、
を有する、
ことを特徴とする遊技機。
【請求項２】
前記従動リンクは、
前記接続方向に対して直交する平面上で、略コ字形の断面形状に形成され、遊技者側である表側及び両側から内部空間を覆い、該内部空間の裏側を外部に開放させた壁体と、
前記壁体の前記接続方向の一端部に一体的に設けられ、前記内部空間の外へほぼ前記接続方向に突出させたアームと、
前記アームの先端部に一体的に設けられ、表裏方向を中心軸とする略円柱形状に形成された枢軸と、
前記内部空間の中に配され、前記壁体と一体的に設けられ、隣り合う前記従動リンクの枢軸を挿入可能にされ、該挿入されたとき前記枢軸を前記中心軸回りに回動可能に支持する支持構造とを有することを特徴とする請求項１に記載の遊技機。
【請求項３】
前記支持構造は、
前記壁体の前記接続方向の他端部に一体的に設けられ、前記アームの肉厚以上の幅であって、前記枢軸の径より小さい幅を有し、前記内部空間の表側から裏側へ延ばされ、該裏側で開放させた隙間であり、互いに該隙間を持たせて対向配置された一対の係止片と、
弾性力を有し、前記壁体の一端部に一体的に設けられ、前記内部空間の表側から裏側へ延びるように形成された弾性片であって、前記弾性力により復元したとき、前記弾性片及び前記一対の係止片が前記枢軸の径と同径の円の周囲に沿い、前記弾性片の先端部が前記周囲から前記円の中心の寄りに位置し、前記弾性力に抗して変形したとき、前記弾性片の先端部が前記周囲に位置する弾性片とを有することを特徴とする請求項２に記載の遊技機。
【請求項４】
前記２以上の従動リンクは、前記接続方向で連なる通し穴をそれぞれ有し、
前記長尺体は、前記２以上の従動リンクの各通し穴をそれぞれ貫通し、
前記通し穴から前記長尺体が抜けるのを防止する抜け止め構造を有することを特徴とする請求項１から請求項３のいずれかに記載の遊技機。
【請求項５】
前記通し穴は、前記隙間を形成する前記一対の係止片の両縁の少なくとも一方を、凹形状に切り欠くことにより形成されたことを特徴とする請求項４に記載の遊技機。
【請求項６】
前記枠体は、前枠と後枠とを前記表裏方向から組み合わせて構成され、連結部材を有し、
前記連結部材は、前記アームと同じ形状に形成された首部と、該首部の先端に一体的に設けられ、前記枢軸と同じ形状に形成された頭部と、前記首部の肉厚より大きい幅をもつ肩部を有し、
前記前枠と前記後枠との少なくとも一方は、前記肩部を係止し、前記首部を通す係止溝を有することを特徴とする請求項１から請求項５のいずれかに記載の遊技機。
【請求項７】
振り子を有し、
前記駆動リンクに連結される前記従動リンクにおいて、
前記アームは円板形状に形成され、
前記枢軸は、前記アームの円周部に配され、前記駆動リンクに回動可能に連結され、
前記アームと一体的に設けられ、前記枢軸の位置の鉛直方向線上であって、前記アームの円周部に前記振り子を揺動可能に支持する枢支部を有し、
前記壁体、前記一対の係止片及び前記弾性片は、前記アームの円周部であって、前記枢支部と前記枢軸との間に設けられ、
前記長尺体は、前記駆動リンクを前記第２位置に揺動させたとき、前記振り子の周囲に沿うよう配置されたことを特徴とする請求項１から請求項６のいずれかに記載の遊技機。
【請求項８】
前記駆動リンクに連結される前記従動リンクは、装飾部を有していることを特徴とする請求項７に記載の遊技機。
【発明の詳細な説明】
【技術分野】
【０００１】
この発明は、遊技領域に設けられた演出用可動体を有する遊技機に関する。ここで、遊技領域とは、遊技盤と遊技盤に配された枠体とを含む領域をいう。
【背景技術】
【０００２】
従来、例えば、表示部の特定表示に連動可能な可動装飾部材を備えた遊技機がある。この可動装飾部材は、表示部側へ屈曲可能な可動部材と、可動部材の先端部に設けられた装飾部材と、可動部材の基端部に設けられた駆動手段とを有し、可動部材は、複数の関節体を順次接続して直列に連結した連結体と、各関節体の屈曲側に空間部として形成された曲がり代と、連結体内の屈曲側に偏心させて挿通され、先端部が連結体の先端に固定されると共に、基端部が駆動手段に接続され、駆動手段により連結体の先端に引き込むための長尺弾性部材とを有している（例えば、特許文献１）。
【０００３】
【特許文献１】特開２００６−１７４９３２号公報
【発明の開示】
【発明が解決しようとする課題】
【０００４】
しかしながら、上記特許文献に記載された遊技機では、遊技中に、駆動手段が長尺弾性部材の引き込みを繰り返すと、長尺弾性部材に断続的な引っ張り荷重がかかり、長尺弾性部材を劣化させる要因となり、遊技機の耐久性を高める上で支障になるという問題点があった。
【０００５】
また、可動装飾部材の外観品質を高めるために、連結体の表面を可動部材で覆うようにして、関節体の連結部位を表面側から見えないようにしており、部品点数や取付工数が増加し、コストが嵩む要因になるという問題点があった。
【０００６】
この発明は、上記の問題を解決するものであり、長尺弾性部材に相当する長尺体の劣化を防止し、遊技機の耐久性を高めることができる遊技機を提供し、また、関節体に相当する従動リンク同士の接続部を表側から見え難くするように従動リンクを形成し、部品点数を増やさずに、外観品質を高めることができる遊技機を提供することを目的とする。
【課題を解決するための手段】
【０００７】
上記課題を解決するため、この発明は、長尺体に断続的な引っ張り荷重をかけずに、長尺体の復元力を用いることにより、従動体の曲がり具合を変えることに着目した。
具体的に、この発明の第１の形態は、遊技領域に設けられた演出用可動体を有する遊技機において、前記演出用可動体は、前記遊技領域に配された枠体の内部に収容された動力源と、前記枠体に回動可能に支持された一端部と、前記動力源により、前記遊技領域内の第１位置と第２位置との間を揺動する他端部とを有する駆動リンクと、直列に順次接続された２以上の従動リンクを有し、該２以上の従動リンクにより前記枠体と前記駆動リンクの他端部とを連結した従動体と、復元力を有し、細長形状に形成され、前記各従動リンクが接続される接続方向に前記２以上の従動リンクを貫通するように装着され、前記駆動リンクを前記第１位置に揺動させたとき、前記復元力により前記接続方向に対する曲率を小さく、前記駆動リンクを前記第２位置に揺動させたとき、前記復元力に抗して前記接続方向に対する曲率を大きくなるよう配設された長尺体と、を有することを特徴とする遊技機である。
また、この発明の第２の形態は、第１の形態に係る遊技機であって、前記従動リンクは、前記接続方向に対して直交する平面上で、略コ字形の断面形状に形成され、遊技者側である表側及び両側から内部空間を覆い、該内部空間の裏側を外部に開放させた壁体と、前記壁体の前記接続方向の一端部に一体的に設けられ、前記内部空間の外へほぼ前記接続方向に突出させたアームと、前記アームの先端部に一体的に設けられ、表裏方向を中心軸とする略円柱形状に形成された枢軸と、前記内部空間の中に配され、前記壁体と一体的に設けられ、隣り合う前記従動リンクの枢軸を挿入可能にされ、該挿入されたとき前記枢軸を前記中心軸回りに回動可能に支持する支持構造と、を有することを特徴とする。
さらに、この発明の第３の形態は、第２の形態に係る遊技機であって、前記支持構造は、前記壁体の前記接続方向の他端部に一体的に設けられ、前記アームの肉厚以上の幅であって、前記枢軸の径より小さい幅を有し、前記内部空間の表側から裏側へ延ばされ、該裏側で開放させた隙間であり、互いに該隙間を持たせて対向配置された一対の係止片と、弾性力を有し、前記壁体の一端部に一体的に設けられ、前記内部空間の表側から裏側へ延びるように形成された弾性片であって、前記弾性力により復元したとき、前記弾性片及び前記一対の係止片が前記枢軸の径と同径の円の周囲に沿い、前記弾性片の先端部が前記周囲から前記円の中心の寄りに位置し、前記弾性力に抗して変形したとき、前記弾性片の先端部が前記周囲に位置する弾性片とを有することを特徴とする。
さらに、この発明の第４の形態は、第１の形態から第３の形態のいずれかに係る遊技機であって、前記２以上の従動リンクは、前記接続方向で連なる通し穴をそれぞれ有し、前記長尺体は、前記２以上の従動リンクの各通し穴をそれぞれ貫通し、前記通し穴から前記長尺体が抜けるのを防止する抜け止め構造を有することを特徴とする。
さらに、この発明の第５の形態は、第４の形態に係る遊技機であって、前記通し穴は、前記隙間を形成する前記一対の係止片の両縁の少なくとも一方を、凹形状に切り欠くことにより形成されたことを特徴とする。
さらに、この発明の第６の形態は、第１の形態から第５の形態のいずれかに係る遊技機であって、前記枠体は、前枠と後枠とを前記表裏方向から組み合わせて構成され、連結部材を有し、前記連結部材は、前記アームと同じ形状に形成された首部と、該首部の先端に一体的に設けられ、前記枢軸と同じ形状に形成された頭部と、前記首部の肉厚より大きい幅をもつ肩部を有し、前記前枠と前記後枠との少なくとも一方は、前記肩部を係止し、前記首部を通す係止溝を有することを特徴とする。
さらに、この発明の第７の形態は、第１の形態から第６の形態のいずれかに係る遊技機であって、振り子を有し、前記駆動リンクに連結される前記従動リンクにおいて、前記アームは円板形状に形成され、前記枢軸は、前記アームの円周部に配され、前記駆動リンクに回動可能に連結され、前記アームと一体的に設けられ、前記枢軸の位置の鉛直方向線上であって、前記アームの円周部に前記振り子を揺動可能に支持する枢支部を有し、前記壁体、前記一対の係止片及び前記弾性片は、前記アームの円周部であって、前記枢支部と前記枢軸との間に設けられ、前記長尺体は、前記駆動リンクを前記第２位置に揺動させたとき、前記振り子の周囲に沿うよう配置されたことを特徴とする。
さらに、この発明の第８の形態は、第７の形態に係る遊技機であって、前記駆動リンクに連結される前記従動リンクは、装飾部を有していることを特徴とする。
【発明の効果】
【０００８】
この発明の第１の形態によると、長尺体を２以上の従動リンクに貫通させ、長尺体の両端部を従動リンクに対して自由にした。また、長尺体の復元力により、長尺体の曲率が変化する。長尺体の曲率に応じて従動体の曲がり具合が変化するようになる。このとき、引っ張り荷重が長尺体にかからないで、長尺体の劣化を防止し、遊技機の耐久性を高めることが可能となる。
【０００９】
また、この発明の第２の形態によると、枢軸及び枢軸を支持するための支持構造を従動リンクの内部空間の中に配し、内部空間の表側及び両側を覆うように壁体を形成したため、枢軸や支持構造が表側に露出しない。それにより、部品点数を増やさずに、従動体の外観品質を高めることができる。
【００１０】
さらに、この発明の第３の形態によると、枢軸を中心軸回りに回動可能に支持する弾性片及び一対の係止片は、それぞれ、内部空間の表側から裏側へ延ばされたものである。内部空間の表側及び両側は壁体により覆われているため、弾性片及び一対の係止片が表側に露出せず、従動体の外観品質を高めることができる。また、遊技中に、隣り合う従動リンク同士を引き離そうとする荷重がかかるとき、その荷重は、枢軸から一対の係止片にかかり、弾性片にかからないので、弾性片の劣化を防止し、遊技機の耐久性を高めることができる。
【００１１】
さらに、この発明の第４の形態によると、長尺体が２以上の従動リンクの欠く通し穴に貫通しており、長尺体が従動リンクの通し穴から抜けるのを防止される。長尺体が２以上の従動リンクの中を通っていることにより、駆動リンクが第１位置と第２位置とに揺動するとき、２以上の従動リンクを予め定められた姿勢に維持し、従動リンクに大きな負荷がかかる姿勢を取らないようにして、従動リンクの故障の要因をなくすことが可能となる。また、長尺体の両端部を従動リンクなどに固定しないので、長尺体に負荷がかかりにくく、損傷や破損が発生し難くなる。また、固定具や固定作業が不要となる。
【００１２】
さらに、この発明の第５の形態によると、一対の係止片の側縁を切り欠くことにより、通し穴が形成されるので、通し穴を成形するための金型を容易に製作できる。係止片の通し穴を貫通する長尺体を枢軸の外周に当接させ、枢軸にかかる長尺体の摩擦抵抗力を加減することにより、枢軸の回動量を制御し、従動体の曲がり具合を調整することが可能となる。
【００１３】
さらに、この発明の第６の形態によると、連結部材を枠体に簡単に取り付け可能となる。また、連結部材の頭部の形状が従動リンクの枢軸と同じ形状をしており、従動体の後尾に位置する従動リンクも弾性片及び一対の係止片を有しているため、弾性片及び一対の係止片により頭部を回動可能に支持することができ、従動体を枠体に簡単に連結することが可能となる。
【００１４】
さらに、この発明の第７の形態によると、振り子を従動リンクに干渉させることなく、十分な振幅で揺動させることが可能となる。また、長尺体を振り子の周囲に沿わせることにより、従動体及び振り子を小さなスペースに収め、遊技領域を有効に活用することが可能となる。
【００１５】
さらに、この発明の第８の形態によると、前記駆動リンクに連結される前記従動リンクは、従動体の先頭に位置する。従動体の先頭である従動リンクが装飾部を有しているので、装飾部が移動すると、先頭の従動リンク以外の従動リンクで構成される従動体が追従して移動するので、装飾部が従動体を制御しているような演出的な効果を奏する。
【発明を実施するための最良の形態】
【００１６】
（構成）
この発明の一実施形態について図面を用いて説明する。先ず、この発明の一実施形態に係る遊技機の構成について図１から図１８参照にして説明する。先ず、遊技機の遊技盤について図１〜図３を参照にして説明する。
【００１７】
図１は、遊技機の遊技盤の正面図、図２（ａ）は、駆動リンク２２を第１位置に揺動し、従動体３０を窓枠部１２３の開口の中央部の方に移動させたときの演出用可動体２０を裏側から見た斜視図、（ｂ）は、第２従動リンク及び長尺体を部分的に示した（ａ）の部分拡大図、図３（ａ）は、駆動リンク２２を第２位置に揺動し、従動体３０を側枠部１２５の方に移動させたときの演出用可動体２０を裏側から見た斜視図、（ｂ）は、第２従動リンク及び長尺体を部分的に示した（ａ）の部分拡大図である。ここで、裏側とは、遊技機を間にして遊技者側（表側）とは反対の側をいう。
【００１８】
遊技領域１０は、遊技盤１１におけるガイドレール１３に囲まれた領域である。遊技領域１０には枠体１２が配されている。
【００１９】
遊技領域１０は、図示しない発射装置によって発射された遊技球が流下するようになっており、その領域には、特別入賞口１４、図示しない可変表示装置、及び大入賞口１５が設けられている。遊技球を特別入賞口１４に入賞させると、可変表示装置で可変表示遊技を行い、可変表示遊技の表示結果によって、大入賞口１５を閉じた状態（遊技者にとって不利な状態）から大入賞口１５を開いた状態（遊技者にとって有利な状態）に変換する。また、遊技領域１０には、一般入賞口、ランプ、球の流れる方向を変換する風車、多数の障害釘、アウト球を受け入れるアウト穴が設けられている。
【００２０】
可変表示装置は、液晶表示装置等のディスプレイと、ディスプレイの裏面に配され、ディスプレイの表示の制御等を含む演出の制御を行う演出用基板（図示省略）とが含まれる。
【００２１】
枠体１２は、前枠１２１と後枠１２２とを表裏方向から組み合わせて構成されている。前枠１２１と後枠１２２とは、それぞれ樹脂成形され、ネジ等により組み立てられている。前枠１２１の一部及び後枠１２２の一部を図２及び図３に示す。枠体１２は窓枠部１２３を有している。窓枠部１２３の開口を通してディスプレイを視認可能である。窓枠部１２３は、その上縁を構成する上枠部１２４と、その側縁を構成する側枠部１２５とを有している。
【００２２】
側枠部１２５は外側方向へ湾曲するように形成されている。外側方向へ湾曲するように形成され、側枠部１２５の前枠１２１、及び、外側方向へ湾曲するように形成されずに、略直線形状に形成された側枠部１２５の後枠１２２を図１に示す。窓枠部１２３の開口の中央部から側枠部１２５の後枠１２２の表側に移動した従動体３０であって、側枠部１２５の前枠１２１に沿うように外側方向へ曲がった従動体３０を図２に示す。
【００２３】
次に、従動体３０の下端部と側枠部１２５との間に介在し、従動体３０を側枠部１２５に連結するための連結部材、及びその連結部材を側枠部１２５に支持する構造について、図１から図４を用いて説明する。図４は連結部材及び連結部材の支持構造の断面図であり、（ａ）は、頭部の中心軸に沿って連結部材等を切断したときの縦断面図、（ｂ）は、（ａ）のＸＩＢ−ＸＩＢ線断面図である。
【００２４】
枠体１２は連結部材１６を有している。枠体１２と連結部材１６とは別体に形成されている。側枠部１２５の下部には、連結部材１６を嵌合させ、嵌合したとき連結部材１６の外れを阻止する連結部材１６の支持部１２６が設けられている。前枠１２１と後枠１２２とを表裏方向から組み合わせて構成された支持部１２６を図４（ａ）に示す。
【００２５】
連結部材１６は、首部１６１と、首部１６１の先端に一体的に設けられた頭部１６２と、首部１６１の基端に一体的に設けられ、首部１６１の肉厚より大きい幅をもつ略直方体形状の肩部１６３とを有している。
【００２６】
首部１６１は、後記する第１従動リンク４０ａのアーム４２と同じ形状に形成さている。また、頭部１６２は、後記する第１従動リンク４０ａの枢軸４３と同じ形状に形成されている。第１従動リンク４０ａについては後述する。肩部１６３には被係合溝１６４が形成されている。
【００２７】
支持部１２６を構成する後枠１２３には、首部１６１を通し、肩部１６３を係止する係止溝１２７、及び、肩部１６３が嵌め込まれる嵌合部１２８が形成されている。嵌合部１２８を構成する周壁には弾性を有する係合突起１２９が形成されている。係合突起１２９は、被係合溝１６４に係合し、肩部１６３の抜け止めをする。また、前枠１２１と後枠１２２とを表裏方向から組み合わせて支持部１２６を構成したとき、前枠１２１が首部１６１に表側から当接し、首部１６１の抜け止めをする。連結部材１６の首部１６１を係止溝１２７に通し、肩部１６３を嵌合部１２８に嵌め込み、前枠１２１と後枠１２２とを組み合わせることにより、連結部材１６を枠体１２の支持部１２６に簡単に取り付けることができる。
【００２８】
なお、枠体１２に連結部材１６を一体的に形成しても良い。また、係止溝１２７及び嵌合部１２８は、前枠１２１と後枠１２２との少なくとも一方に設ければ良い。
【００２９】
次に、遊技領域１０に配され、可変表示装置における可変表示遊技に対して連動又は独立して予め定められた動作をする演出用可動体２０及び演出装置６０について説明する。
【００３０】
（演出用可動体の構成）
先ず、演出用可動体２０について図２から図１２を参照して説明する。図５は、駆動リンクを第１位置と第２位置とに揺動したときの演出用可動体を表側から見た正面図、図６は、駆動リンク及び従動体の動作説明図、図７は枢軸の中心軸に対して直交する方向破断し、裏側から見た従動リンクの横断面図であり、（ａ）は従動リンクの接続される接続方向を直線方向とした図、（ｂ）は接続方向を窓枠部の開口とは反対側へ傾けた図、（ｃ）は接続方向を窓枠部の開口側へ傾けた図である。図８は制御ブロック図である。
【００３１】
演出用可動体２０は、動力源２１、動力源２１の動力により図２に示す第１位置と図３（ａ）に示す第２位置とに揺動する駆動リンク２２、駆動リンク２２により移動させられる従動体３０、及び従動体３０の内部に貫通され、従動体３０の移動に伴い、その曲率を変化させる長尺体５０を有している。
【００３２】
動力源２１は、ステッピングモーター２１１と減速機構２１２とを有し、枠体１２の内部に収容されている。ステッピングモーター２１１及び減速機構２１２を図２から図５に示す。上枠部１２４の上縁から約３３ｍｍであって、側枠部１２５の縁から約１０ｍｍの位置に回動中心が配された動力アーム２３であって、中継アーム２４を引き込み、駆動リンク２２を第２位置に揺動させた動力アーム２３を図６に実線で示す。長尺体５０を図７に二点鎖線で示す。動力源２１を制御するためのサブ制御基板８２及びモーター制御基板８３を図８に示す。
【００３３】
図６では、動力アーム２３を約２５ｍｍの長さの実線で、中継アーム２４を約７０ｍｍの長さの実線で、駆動リンク２２を約１００ｍｍの長さの一点鎖線で示す。駆動リンク２２の一端部２２１から他端部２２２の方へ約３５ｍｍ離れた中間部には、中継アーム２４を介して動力アーム２３の先端部が連結されている。ステッピングモーター２１１の動力は、減速機構２１２、動力アーム２３及び中継アーム２４を介して駆動リンク２２に伝達される。
【００３４】
駆動リンク２２は、透過性を有する無色の樹脂材により棒形状に成形されている。駆動リンク２２は、上枠部１２４に回動可能に支持された一端部２２１と、動力源２１により、遊技領域１０内の第１位置と第２位置との間を揺動する他端部２２２とを有している。窓枠部１２３で囲まれた開口のほぼ中央位置である第１位置に揺動した駆動リンク２２の他端部２２２を図２及び図５（ｂ）に示す。また、窓枠部１２３の位置である第２位置に揺動した駆動リンク２２の他端部２２２を図３及び図５（ａ）に示す。さらに、駆動リンク２２を第２位置に揺動したとき、中継アーム２４に当接するストッパ２２３を図３に示す。なお、図５（ａ）、（ｂ）では、駆動リンク２２、動力アーム２３及び中継アーム２４が省略されている。
【００３５】
駆動リンク２２の他端部２２２の動作について図６を用いて詳細に説明する。上枠部１２４の上縁から下方向（開口側）へ約５ｍｍ離れた位置であって、側枠部１２５の縁から左方向（開口側）へ約５５ｍｍ離れた位置に配された駆動リンク２２の一端部２２１（揺動中心）を示す。また、時計方向及び反時計方向に回動する動力アーム２３を示す。
【００３６】
動力アーム２３が回動すると、中継アーム２４が駆動リンク２２の中間部を左右に押し引きし、駆動リンク２２の他端部２２２が第１位置と第２位置との間を揺動する。窓枠部１２３の縁から左方向（開口側）に約１１０ｍｍの第１位置に揺動した駆動リンク２２の他端部２２２を図６に示し、また、窓枠部１２３の縁から右方向（開口とは反対側）に約２０ｍｍの第２位置に揺動した駆動リンク２２の他端部２２２を図６に示す。
【００３７】
従動体３０は、直列に順次接続された２以上の従動リンク４０を有しており、２以上の従動リンク４０により枠体１２と駆動リンク２２の他端部２２２とを連結している。この実施形態では、従動体３０は、３種類の全部で１４個の従動リンク４０を有している。以下、従動体３０の中間に位置する１２個の従動リンク４０を第１従動リンク４０ａとする。また、枠体１２と連結される従動リンク４０を第２従動リンク４０ｂとする。さらに、駆動リンク２２と連結される従動リンクを第３従動リンク４０ｃとする。なお、３種類の従動リンク４０は、共通する構成と互いに異なる構成を有する。最初に、従動体３０の中間に位置する１２個の第１従動リンク４０ａについて説明する。その後に、第２従動リンク４０ｂ及び第３従動リンク４０ｃの前記互いに異なる構成について説明する。
【００３８】
先ず、従動体３０の中間に位置する１２個の第１従動リンク４０ａについて、図９から図１１を参照にして詳細に説明する。図９（ａ）は従動リンクを斜め後方から見たときの斜視図、図９（ｂ）は従動リンクを斜め下方から見たときの斜視図、図１０（ａ）は従動リンクの右側面図、図１０（ｂ）は従動リンクの平面図、図１０（ｃ）は従動リンクの正面図、図１０（ｄ）は従動リンクの底面図、図１０（ｅ）は従動リンクの左側面図、図１０（ｆ）は従動リンクの縦断面図、図１０（ｇ）は従動リンクの背面図、図１１は、従動リンク同士を接続するときの説明図であり、一方の第１従動リンク４０ａを拡大縦断面図とし、他の第１従動リンク４０ａを拡大した外形を一点鎖線で表した図である。
【００３９】
第１従動リンク４０ａは、壁体４１、アーム４２、枢軸４３及び枢軸４３の支持構造４４を有している。壁体４１から支持構造４４が樹脂成形により一体的に形成された第１従動リンク４０ａを図９に示す。
【００４０】
壁体４１は、第１従動リンク４０ａの接続方向に対して直交する平面上で、略コ字形の断面形状に形成され、表壁４１１により表側から内部空間４０１を覆い、側壁４１２により両側から内部空間４０１を覆っている。内部空間４０１の裏側は、外部に開放されている。表壁４１１及び側壁４１２には、装飾が施されている。壁体４１は、約８ｍｍの丈（接続方向の長さ）を有する。
【００４１】
ここで、第１従動リンク４０ａの接続方向とは、枢軸４３の中心軸と支持構造４４により支持される他の第１従動リンク４０ａの枢軸４３の中心軸とを結ぶ直線方向をいい、図１０（ｇ）において上下方向である。また、第１従動リンク４０ａの接続される接続方向とは、前記直線方向の傾き方向をいう。さらに、上方向に開放された内部空間４０１を図１０（ｇ）に示す。
【００４２】
アーム４２は、接続方向で壁体４１の一端部に一体的に設けられ、内部空間４０１の外へほぼ接続方向に突出するように形成されている。アーム４２は板状に形成され、約２ｍｍの板厚、約３．５ｍｍの板幅（表裏方向の長さ）、及び約５ｍｍの丈（接続方向の長さ）を有している。ここで、接続方向で壁体４１の一端部とは、壁体４１の上端部である。また、接続方向とは、図１０（ａ）において上方向である。また、表裏方向とは、図１０（ｅ）において左右方向である。
【００４３】
枢軸４３は、アーム４２の先端部に一体的に設けられ、表裏方向を中心軸とする略円柱形状に形成されている。枢軸４３は約４ｍｍの円柱径、及び約８ｍｍの軸長（表裏方向の長さ）を有している。枢軸４３の表側端部４３１は、支持構造４４への挿入を容易にするために半球状に形成されている。ここで、アーム４２の先端部とは、図１０（ａ）においてアーム４２の上端部である。
【００４４】
枢軸４３の支持構造４４は、内部空間４０１の中に配され、壁体４１と一体的に設けられ、隣り合う第１従動リンク４０ａの枢軸４３を挿入可能にされ、挿入されたとき枢軸４３を中心軸回りに回動可能に支持する。支持構造４４は、一対の係止片４４１と、弾性片４４２とを有している。
【００４５】
一対の係止片４４１は、接続方向で壁体４１の他端部に一体的に設けられ、隙間をもって互いに対向配置されている。ここで、接続方向で壁体４１の他端部とは、壁体４１の下端部である。表壁４１１の下端部から裏側へそれぞれ延ばされた一対の係止片４４１を図１０（ｄ）に示す。
【００４６】
一対の係止片４４１の間の隙間は約３ｍｍであり、アーム４２の約２ｍｍの板厚以上の幅であって、枢軸４３の約４ｍｍの円柱径より小さい幅を有し、内部空間４０１の表側から裏側へ延ばされ、裏側で開放されている。係止片４４１は約１０ｍｍの表裏方向の長さを有している。
【００４７】
弾性片４４２は、弾性力を有し、壁体４１の一端部に一体的に設けられ、内部空間４０１の表側から裏側へ延びるように形成されている。ここで、壁体４１の一端部とは、壁体４１の上端部である。表壁４１１の上端部から裏側へ延ばされた弾性片４４２を図１０（ｂ）、（ｆ）に示す。
【００４８】
弾性片４４２は、片持ちの梁状に形成され、約２ｍｍの幅、約１．５ｍｍの厚さ、約１０ｍｍの表裏方向の長さを有している。弾性片４４２の先端部４４３は、表壁４１１から約８ｍｍの位置で前記表裏方向に対して直交方向へ約１ｍｍ突出している。表壁４１１と弾性片４４２の先端部４４３との間の表裏方向の隙間（約８ｍｍ）に、約８ｍｍの軸長を有する枢軸４３が収まるようになる。ここで、表裏方向に対して直交方向とは図１０（ｆ）において下方向である。
【００４９】
一対の係止片４４１の間の約３ｍｍの隙間を通して外部から視認することが可能な約２ｍｍの幅を有する弾性片４４２を図１０（ｄ）に示す。それにより、前記約３ｍｍの隙間を通して、成形型を外部から内部空間４０１に進入させて弾性片４４２を成形することが可能となる。
【００５０】
弾性片４４２の先端部４４３は、約２ｍｍの表裏方向の長さを有している。弾性片４４２の先端部４４３は、裏側から表側へ向かって前記約２ｍｍの表裏方向の長さの間で、表裏方向に対して直交方向へ約０ｍｍから約１ｍｍに徐々に突出させ、枢軸４３の半球状の表側端部４３１の挿入を容易にした傾斜面４４４を有している。弾性片４４２の傾斜面４４４を拡大縦断面図である図１１（ａ）〜（ｃ）に示す。
【００５１】
弾性片４４２には、アーム４２が一体的に形成されている。それにより、接続する第１従動リンク４０ａ同士の枢軸４３の間隔が狭くなり、数多くの第１従動リンク４０ａを、予め定められた長さの中で接続することができる。第１従動リンク４０ａの数を多くするほど、従動体３０の曲がりを多様化させ、視覚的な演出効果を高めることが可能となる。
【００５２】
次に、枢軸４３、一対の係止片４４１及び弾性片４４２の位置関係について、図７及び図１１を参照にして説明する。図１１（ａ）は従動リンク同士を接続する直前の状態図、図１１（ｂ）は従動リンク同士を接続した後の状態図、図１１（ｃ）は従動リンク同士を離す直前の状態図である。
【００５３】
図１１（ａ）のように上位の第１従動リンク４０ａの弾性片４４２を開けて、下位の第１従動リンク４０ａの枢軸４３を表側端部４３１から挿入して連接させる。その後、弾性片４４２が弾性力により復元したとき、弾性片４４２及び一対の係止片４４１は、枢軸４３の径と同径の円の周囲に沿うように配置されている。一点鎖線で示した枢軸４３の周面と、枢軸４３の周面に沿うように位置する係止片４４１及び弾性片４４２を図７（ａ）及び図１１（ｂ）に示す。弾性片４４２及び一対の係止片４４１により枢軸４３を中心軸回りに回動可能に支持する。
【００５４】
弾性片４４２は、弾性片４４２の先端部４４３が周囲から円の中心の寄りに位置し、弾性力に抗して変形したとき、弾性片４４２の先端部４４３が円の周囲に位置する。一点鎖線で示した枢軸４３の周面と、枢軸４３の周面に押されることにより変形した、一点鎖線で示した弾性片４４２の先端部４４３を図１１（ａ）に示す。
【００５５】
次に、枠体１２に連結される第２従動リンク４０ｂについて、図３、図６及び図７（ａ）を用いて説明する。図７（ａ）では、実線で示す第１従動リンク４０ａと二点鎖線で示す第２従動リンク４０ｂとを併記している。第２従動リンク４０ｂは、樹脂材により成形され、連結部材１６を介して枠体１２の支持部１２６に取り付けられる。第２従動リンク４０ｂは、第１従動リンク４０ａに対して新たな部位を追加したものである。第１従動リンク４０ａと同じ部位については、その説明を省略する。
【００５６】
第１従動リンク４０ａに対して追加された新たな部位である脚部４４６を図７（ａ）に二点鎖線でそれぞれ示す。脚部４４６は、側壁４１２から枠体１２の支持部１２６に延ばされている。駆動リンク２２を第１の位置に揺動させ、第２従動リンク４０ｂを窓枠部１２３の開口側に回動し、脚部４４６を支持部１２６に当接させると、第２従動リンク４０ｂを窓枠部１２３の開口側へ所定角度以上の傾くのを制限する。第１の位置に揺動させた駆動リンク２２を図６に一点鎖線で示し、下方に対し所定の曲率で曲がった従動体３０を図６に二点鎖線で示す。
【００５７】
次に、駆動リンク２２に連結される第３従動リンク４０ｃについて、図６及び図１２を参照して説明する。図１２は、第３従動リンク４０ｃ及び動力源２１の制御の説明図である。第３従動リンク４０ｃは、第１従動リンク４０ａ等と同一の構成を有している。以下の第３従動リンク４０ｃの説明においては、第１従動リンク４０ａと同一の構成については同一番号を付して説明する。
【００５８】
第３従動リンク４０ｃのアーム４２は円板形状に形成されている。枢軸４３は、アーム４２の円周部４２１に配され、駆動リンク２２に回動可能に連結されている。アーム４２と一体的に設けられ、枢軸４３の位置の略鉛直方向線上であって、アーム４２の円周部４２１に振り子４５を揺動可能に支持する枢支部４２２を有している。図９及び図１０に示した壁体４１及び支持構造４４（一対の係止片４４１及び弾性片４４２）は、アーム４２の円周部４２１であって、枢支部４２２と枢軸４３との間に設けられている。図１２では鉛直方向線から約１０ｍｍだけ側枠部１２５側に寄った支持構造４４を図６に示す。
【００５９】
第３従動リンク４０ｃの前壁は、装飾部４６を有している。それにより、第３従動リンク４０ｃの壁を有効利用し、演出効果を高めることができる。第３従動リンク４０ｃの前壁は、円板形状のアーム４２の表壁である。アーム４２に表側から嵌め込まれ装着された装飾部４６を図１２（ａ）に示す。なお、第３従動リンク４０ｃの前壁に装飾部４６を一体的に形成しても良い。
【００６０】
次に、従動体３０の組立及び従動体３０を駆動リンク等に接続する構造について、図７及び図１１を参照にして説明する。従動体３０の組立は、第１従動リンク４０ａ同士を接続し、それに第２従動リンク４０ｂ及び第３従動リンク４０ｃをさらに接続して行う。
【００６１】
先ず、第１従動リンク４０ａ同士の接続について図１１を参照にして説明する。図１１（ａ）は、第１従動リンク４０ａ同士を接続する直前の状態図、図１１（ｂ）は、第１従動リンク４０ａ同士を接続した後の状態図である。
【００６２】
一方の第１従動リンク４０ａの枢軸４３の表側端部４３１を、他方の第１従動リンク４０ａの弾性片４４２の傾斜面４４４にあてがい、また、一方の第１従動リンク４０ａのアーム４２（板厚約２ｍｍ）を、他方の第１従動リンク４０ａの一対の係止片４４１の間の隙間（約３ｍｍ）に嵌め込むようにする。
【００６３】
前述したように、傾斜面４４４は裏側から表側に向かって徐々に突出させ、枢軸４３の中心軸に近づくように形成されている。枢軸４３の表側端部４３１は、挿入するとき、弾性片４４２を開かさせるために半球状に形成されている。それにより、枢軸４３の表側端部４３１が弾性片４４２の傾斜面４４４を上方に押し上げられる。傾斜面４４４が上方に押し上げられ、先端部４４３が変形した弾性片４４２を図１１（ａ）に一点鎖線で示す。
【００６４】
一対の係止片４４１の間の隙間に第１従動リンク４０ａのアーム４２を嵌め込むことにより、枢軸４３が一対の係止片４４１の間に跨るようになり、第１従動リンク４０ａ同士が外れ難くなり、また、第１従動リンク４０ａを表側の方向へ確実に案内可能となり、第１従動リンク４０ａ同士の接続が容易となる。他方の第１従動リンク４０ａの表壁４１１に枢軸４３の表側端部４３１が接近し、表壁４１１と弾性片４４２の先端部４４３との間の隙間（約８ｍｍ）中に約８ｍｍの軸長を有する枢軸４３が収まった一方の第１従動リンク４０ａを図１１（ｂ）に一点鎖線で示す。
【００６５】
また、切り欠き部４４５の表裏方向の幅（約４ｍｍ）内に、約３．５ｍｍの板幅を有するアーム４２が位置した一方の第１従動リンク４０ａを図１１（ｂ）に一点鎖線で示す。枢軸４３を支持構造４４に裏側から嵌め込むことにより、第１従動リンク４０ａ同士を簡単に接続することが可能となる。
【００６６】
以上のように接続された第１従動リンク４０ａと第２従動リンク４０ｂとを接続する。第２従動リンク４０ｂは、連結部材１６を備え、連結部材１６は第１従動リンク４０ａのアーム４２と同一形状の首部１６１、及び枢軸４３と同一形状の頭部１６２とを有しているため、第１従動リンク４０ａと第２従動リンク４０ｂとの接続は、第２従動リンク４０ｂの首部１６１を第１従動リンク４０ａの一対の係止片４４１に係止させ、また、第２従動リンク４０ｂの頭部１６２を第１従動リンク４０ａの一対の係止片４４１の間の隙間に嵌め込むことにより、第１従動リンク４０ａ同士の接続と同様に簡単に行うことが可能となる。
【００６７】
次に、第１従動リンク４０ａと第３従動リンク４０ｃとを接続する。第３従動リンク４０ｃは、第１従動リンク４０ａと同一の一対の係止片４４１及び弾性片４４２を有しているため、第１従動リンク４０ａと第３従動リンク４０ｃとの接続は、第１従動リンク４０ａ同士の接続と同様である。なお、第３従動リンク４０ｃは、予め、枢軸４３により駆動リンク２２に回動可能に連結しておく。
【００６８】
上記したように第１従動リンク４０ａ同士を接続し、それに第２従動リンク４０ｂ及び第３従動リンク４０ｃをさらに接続し、従動体３０を組み立てる。このように組み立てられた従動体３０を表側から見ると、接続し合った従動リンク４０の壁体４１と壁体４１との間の隙間を通してアーム４２だけが表側に露出するだけであり、支持構造４４である一対の係止片４４１や弾性片４４２が表側に露出せず、外観品質が向上する。
【００６９】
次に、従動体３０に長尺体５０を装着する。従動体３０に長尺体５０を装着する構成について、第３従動リンク４０ｃ及び長尺体５０を部分的に拡大して示した図２（ｂ）、図３（ｂ）及び図７を参照にして説明する。
【００７０】
先ず、長尺体５０について図２（ｂ）、図３（ｂ）及び図７を参照にして説明する。長尺体５０は、復元力を有し、透明な樹脂材により細長の板形状に形成されている。長尺体５０は、第１従動リンク４０ａ、第２従動リンク４０ｂ及び第３従動リンク４０ｃの接続される接続方向に第１従動リンク４０ａ、第２従動リンク４０ｂ及び第３従動リンク４０ｃを貫通するように装着され、駆動リンク２２を第１位置に揺動させたとき、復元力により接続方向に対する曲率を小さく、駆動リンク２２を第２位置に揺動させたとき、復元力に抗して接続方向に対する曲率を大きくなるよう配設されている。
【００７１】
長尺体５０は、約０．５ｍｍの板厚、約２．６〜約２．８ｍｍの板幅、約１４６．５ｍｍの長さを有している。長尺体５０の一端部５１は、板厚方向に約０．８〜約１．２ｍｍの長さで略直角に曲げられている。長尺体５０の他端部５２は、真っ直ぐ延ばされている。
【００７２】
次に、長尺体５０を支持する構成について図７を参照にして説明する。長尺体５０は、第１従動リンク４０ａ、第２従動リンク４０ｂ及び第３従動リンク４０ｃの各通し穴４０２に貫通させることにより、支持される。
【００７３】
通し穴４０２は、隙間をもって互いに対向配置された一対の係止片４４１の両側縁の少なくとも一方を、凹形状に切り欠くことにより形成されている。
【００７４】
一対の係止片４４１の両側縁に形成された切り欠き部４４５を図７（ａ）〜（ｃ）、図９（ｂ）に示す。一対の係止片４４１の切り欠き部４４５間の隙間は約５ｍｍである。枢軸４３は約４ｍｍの円柱径を有するため、切り欠き部４４５と枢軸４３の周面との間には、約０．５ｍｍの隙間が形成される。この隙間は、約０．５ｍｍの板厚を有する長尺体５０を通し可能となっている。また、切り欠き部４４５の表裏方向の幅は約４ｍｍであるため、約２．６〜約２．８ｍｍの板幅を有する長尺体５０を通し可能となっている。この隙間が、約０．５ｍｍ×約４ｍｍの矩形状の通し穴４０２となる。以上のように、係止片４４１の側縁に切り欠き部４４５を設けることにより、通し穴４０２を簡単に形成することができる。
【００７５】
複数の第１従動リンク４０ａ、第２従動リンク４０ｂ及び第３従動リンク４０ｃを直線的に接続し、約０．５ｍｍ×約４ｍｍの矩形状の各通し穴４０２を直線方向に並べ、各通し穴４０２に約０．５ｍｍ×約２．６〜約２．８ｍｍの長尺体５０を通すことができ、それにより、長尺体５０を複数の第１従動リンク４０ａ、第２従動リンク４０ｂ及び第３従動リンク４０ｃに一度に装着することが可能となる。
【００７６】
次に、枠体１２と第２従動リンク４０ｂとの接続について図４を参照にして説明する。図４に示すように、側枠部１２５の支持部１２６に連結部材１６を取り付けておく。連結部材１６と第２従動リンク４０ｂとを接続する。
【００７７】
連結部材１６は、第１従動リンク４０ａのアーム４２と同一形状の首部１６１、及び枢軸４３と同一形状の頭部１６２とを有している。第２従動リンク４０ｂは、第１従動リンク４０ａと同じ部位を有している。したがって、第１従動リンク４０ａ同士の接続と同様に、枠体１２と第２従動リンク４０ｂとを簡単に接続可能となる。
【００７８】
次に、通し穴４０２から長尺体５０が抜けるのを防止する抜け止め構造５０１を説明する。長尺体５０の一端部５１の下方に位置する支持部１２６を図７（ａ）に示す。また、約０．８〜約１．２ｍｍの長さで略直角に曲げられている長尺体５０の一端部５１と、その一端部５１の上方に位置し、約０．５ｍｍの隙間を有する通し穴４０２とを図７（ａ）に示す。それにより、長尺体５０の一端部５１の上下移動は、通し穴４０２と支持部１２６との間に制限され、従動体３０の動作中においても、長尺体５０が通し穴４０２から抜けるのを防止する。以上のように成形、配置された長尺体５０の一端部５１、通し穴４０２及び支持部１２６により抜け止め構造５０１が構成される。
【００７９】
複数の第１従動リンク４０ａ、第２従動リンク４０ｂ及び第３従動リンク４０ｃ同士を接続し、各通し穴４０２に長尺体５０を通し、第２従動リンク４０ｂを枠体１２の連結部材１６に接続すれば、支持部１２６に長尺体５０の一端部５１が当接可能となり、簡単な構成により、長尺体５０の抜け止めが可能となる。また、長尺体５０の固定具や固定作業が不要となる。また、各通し穴４０２に通され、枢軸４３の外周に接触した長尺体５０を図７（ａ）に示す。
【００８０】
枢軸４３の外周と長尺体５０との接触により、枢軸４３に対して長尺体５０の摩擦抵抗力がかかる。通し穴４０２の隙間（切り欠き部４４５の切り込み量）や長尺体５０の板厚に応じて、枢軸４３の外周に対して長尺体５０が接触する力を加減することができ、摩擦抵抗力を加減することにより、枢軸４３の回動量を制御し、従動体３０の曲がり具合を調整することが可能となる。
【００８１】
次に、動力源２１の制御について図８及び図１２を参照にして説明する。図１２は動力源の動作説明図であり、（ａ）は、動力源等を裏側から見た斜視図、（ｂ）は動力アーム等の部分拡大斜視図である。
【００８２】
動力源２１を制御するモーター制御基板８３、及び、動力源２１に検知信号を出力する位置検知スイッチ８４を図８に示す。モーター制御基板８３は、サブ制御基板８２からの回転指示を受けて、動力源２１のステッピングモーター２１１を予め定められた回転量だけ時計方向又は反時計方向の一方に回転させ、その後、時計方向又は反時計方向の他方に回転させる。
【００８３】
位置検知スイッチ８４は、光センサーである。動力アーム２３は、動力アーム２３の回動中心を同心とする円弧状縁を有する。動力アーム２３の円弧状縁には通過穴２３１が形成されている。動力アーム２３の円弧状縁を臨むように設けられた位置検知スイッチ８４を図１２（ａ）に示す。位置検知スイッチ８４は、通過穴２３１を通る光を検知したか否かの検知信号をモーター制御基板８３に出力する。動力アーム２３が反時計方向に回動して、位置検知スイッチ８４の位置に移動した通過穴２３１を図１２（ｂ）に示す。通過穴２３１を通る光を検知した検知信号を受けて、モーター制御基板８３は、ステッピングモーター２１１の回転を停止する。
【００８４】
（演出用可動体の動作）
次に、演出用可動体の動作について図２から図６を参照にして説明する。動力源２１を始動すると、動力アーム２３が図６において反時計方向に回動し、中継アーム２４を介して、駆動リンク２２の他端部２２２を第２位置から第１位置に押し出す。駆動リンク２２に連結された従動体３０は、窓枠部１２３の開口側へ移動する。このような従動体３０の移動において、隣り合う従動リンク４０を引き離そうとする荷重がかかるとき、その荷重は、従動リンク４０の一対の係止片４４１にかかり、弾性片４４２にかからないので、弾性片４４２の劣化を防止することができる。また、従動体３０の移動により、可変表示装置（図示省略）の可変表示遊技と相まって演出効果を高める。
【００８５】
第１位置に揺動し、窓枠部１２３内の略中央に位置した駆動リンク２２の他端部２２２を図２、図５（ｂ）及び図６に示す。このとき、駆動リンク２２の他端部２２２と連結部材１６との間の距離は、全部で１４個の第１従動リンク４０ａ、第２従動リンク４０ｂ及び第３従動リンク４０ｃで構成された従動体３０の全長よりわずかに短い。それにより、第１従動リンク４０ａ、第２従動リンク４０ｂ及び第３従動リンク４０ｃの接続される接続方向に対する長尺体５０の曲率は小さくなる。長尺体５０の曲率に対応して曲げられた従動体３０を図６において二点鎖線で示す。
【００８６】
長尺体５０の曲率に対応して従動体３０が曲げられるので、大きな荷重がかかる姿勢を従動体３０がとらないようになり、従動体３０の故障要因をなくすことができ、従動体３０の損傷や破損を防止可能となる。また、長尺体５０は、第１従動リンク４０ａ、第２従動リンク４０ｂ及び第３従動リンク４０ｃの各通し穴４０２を相対的に移動するだけであって、負荷がかからないので、同じく、長尺体５０の損傷や破損を防止可能となる。
【００８７】
次に、動力アーム２３が図６において時計方向に回動し、中継アーム２４を介して駆動リンク２２を第１位置から第２位置に引き込む。
【００８８】
第２位置に揺動した駆動リンク２２の他端部２２２を図３、図５（ａ）及び図６に示す。このとき、駆動リンク２２の他端部２２２と連結部材１６との距離は、従動体３０の全長より約３０ｍｍ程度短い。それにより、第１従動リンク４０ａ、第２従動リンク４０ｂ及び第３従動リンク４０ｃの接続される接続方向に対する長尺体５０の曲率は大きくなる。長尺体５０の曲率に対応して曲げられた従動体３０を図６において二点鎖線で示す。
【００８９】
次に、駆動リンク２２を第１位置と第２位置とに揺動させたときの複数の従動リンク４０の動きについて図７を参照にして説明する。なお、以下の従動リンク４０の動きの説明において、単に記載された「従動リンク４０」には、第１従動リンク４０ａ、第２従動リンク４０ｂ及び第３従動リンク４０ｃの３種類の従動リンク４０を含む。図７（ａ）は従動リンク４０同士を接続したときの横断面図であって、一方の従動リンク４０のアーム４２及び枢軸４３を一点鎖線で示した図である。図７（ｂ）は一方の従動リンク４０のアーム４２を係止片４４１の切り欠き部４４５に当接するまで、一方の従動リンク４０を窓枠部１２３の開口とは反対側に傾けたときの横断面図である。図７（ｃ）は一方の従動リンク４０のアーム４２が長尺体５０に当接するまで、一方の従動リンク４０を窓枠部１２３の開口側に傾けたときの横断面図である。ここで、一方の従動リンク４０は、第１従動リンク４０ａ及び第２従動リンク４０ｂをいう。
【００９０】
枢軸４３を中心にして窓枠部１２３の開口側に一方の従動リンク４０を傾けたとき、一方の従動リンク４０のアーム４２が長尺体５０を介して係止片４４１の切り欠き部４４５に当接する。一方の従動リンク４０が枢軸４３を中心にして窓枠部１２３の開口側に大きく傾くことがないため、長尺体５０の曲率を予め定められた大きさ以下に抑える。
【００９１】
枢軸４３を中心にして窓枠部１２３の開口とは反対側に一方の従動リンク４０を傾けたとき、一方の従動リンク４０のアーム４２が係止片４４１の切り欠き部４４５に当接するため、長尺体５０の曲率が過度に大きくなるのを防止する。
【００９２】
また、第２従動リンク４０ｂの脚部４４６が支持部１２６に当接することにより、第２従動リンク４０ｂの枢軸４３の中心軸と連結部材１６の頭部１６２の中心軸とを結ぶ直線方向（第２従動リンク４０ｂの接続方向）が、第３従動リンク４０ｃの支持構造４４の方向に向かないようになる。
【００９３】
駆動リンク２２を第１位置に揺動させたとき、前記したように、第２従動リンク４０の脚部４４６が支持部１２６に当接することにより、第２従動リンク４０ｂの枢軸４３の中心軸と連結部材１６の頭部１６２の中心軸とを結ぶ直線方向（第２従動リンク４０ｂの接続方向）が、第３従動リンク４０ｃの支持構造４４の方向に向かないようになる。第２従動リンク４０ｂは、第３従動リンク４０ｃの支持構造４４の方向に対して上方に傾く。それにより、長尺体５０は、斜め上方へ僅かに出っ張った円弧形状に変形する。従動体３０も斜め上方へ僅かに出っ張るように曲げられる。駆動リンク２２を第１位置に揺動させたとき、従動体３０及び長尺体５０は、振り子４５の周囲から離れて配置される。振り子４５を従動リンク４０と干渉させることがない。
【００９４】
駆動リンク２２を第２位置に揺動させたとき、前記したように、従動リンク４０の接続される接続方向に対する長尺体５０の曲率は大きくなる。このとき、従動リンク４０のアーム４２が長尺体５０を介して係止片４４１の切り欠き部４４５に当接することにより、長尺体５０の曲率を予め定められた大きさ以下に抑えるため、また、振り子４５の上方が第１従動リンク４０ａであり、振り子４５の下方に第２従動リンク４０ｂが位置しているため、駆動リンク２２を第２位置に揺動させたとき、長尺体５０は、振り子４５の周囲に沿うよう配置される。それにより、従動体３０も振り子４５の周囲に沿うように曲げられる。また、湾曲状に形成された側枠部１２５の前枠１２１に、従動体３０が沿うようになり、従動体３０及び振り子４５を小さなスペースに収めることができる。
【００９５】
また、駆動リンクを第１位置と第２位置とに揺動させると、第１従動リンク４０ａ及び第２従動リンク４０ｂで構成される従動体３０を、第３従動リンク４０ｃに追従させて移動させるので、第３従動リンク４０ｃに装着された装飾部４６が、従動体３０を制御しているような演出的な効果を奏する。
【００９６】
次に、第１従動リンク４０ａ同士を切り離す構成について図１１（ｂ）、（ｃ）を参照にして説明する。図１１（ｃ）は、第１従動リンク４０ａを切り離す直前の状態図である。一対の切り欠き部４４５間の約５ｍｍの隙間に、約４ｍｍの円柱径を有する枢軸４３を通過可能に構成し、また、一対の係止片４４１の間の約３ｍｍの隙間に、枢軸４３の半球状の表側端部４３１を通過可能に構成した。さらに、アーム４２の裏側の縁と枢軸４３との境界部を中心にして第１従動リンク４０ａを傾け、枢軸４３の裏側端部４３２で弾性片４４２を復元力に抗して押し上げ可能に構成した。なお、一対の係止片４４１の間の約３ｍｍの隙間に通過させるためには、枢軸４３の表側端部４３１の形状は、半球状に限らず、先細形状であれば良い。
【００９７】
前記境界部を中心にして第１従動リンク４０ａを傾けることにより、一対の切り欠き部４４５間の隙間及び一対の係止片４４１間の隙間に枢軸４３の表側端部４３１が通り、枢軸４３の前側端部が表壁４１１に沿って下方に移動した第１従動リンク４０ａを図１１（ｃ）に一点鎖線で示す。図１１（ｃ）において、一点鎖線で示した第１従動リンク４０ａを斜め下方に移動することにより、第１従動リンク４０ａ同士を切り離すことが可能となる。
【００９８】
なお、第１従動リンク４０ａを図１１（ｂ）に一点鎖線で示した状態から図１１（ａ）に一点鎖線で示した状態に戻すようにして、第１従動リンク４０ａ同士を切り離すようにしても良い。
【００９９】
以上、第１従動リンク４０ａ同士を切り離す構成について説明したが、第２従動リンク４０ｂを枠体１２の連結部材１６から切り離す構成も同様である。また、第３従動リンク４０ｃから第１従動リンク４０ａを切り離す構成も同様である。なお、第１従動リンク４０ａ、第２従動リンク４０ｂ及び第３従動リンク４０ｃを切り離す場合、予め、第１従動リンク４０ａ、第２従動リンク４０ｂ及び第３従動リンク４０ｃの各通し穴４０２から長尺体５０を抜いておけば良い。
【０１００】
（演出装置の構成）
以上に、演出用可動体２０について説明した。次に、演出装置６０について図１３から図１８を参照にして説明する。演出装置６０は、側枠部１２５の下部に配されている。側枠部１２５の下部には、演出装置６０を視認可能な枠開口が開設されている。枠開口に対応して演出装置６０は開口を有している。演出装置６０の開口と枠開口とは共に遊技者の方向に開かれている。
【０１０１】
先ず、演出装置６０を構成するベース部材又は演出装置６０の開口について、及び、その開口と方向性について、図１３及び図１４を参照にして説明する。図１３（ａ）は、ベース部材と演出用内部材等とを分解し、斜め後方から見たときの演出装置の分解斜視図であり、一対の開閉部材を閉じたときの図、図１３（ｂ）は、ベース部材を省略した演出装置６０の斜視図であり、一対の開閉部材を開いたときの図である。
【０１０２】
この実施形態では、演出装置６０の開口の開き方向（遊技者の方向）は、前方向であり、遊技機の表裏方向に対して傾斜させた方向である。しかし、演出装置６０の開口の開き方向は、前方向に限らない。例えば、演出装置６０を遊技領域の上部に配した場合は、下方向であり、演出装置６０を遊技領域の下部に配した場合は、上方向であり、演出装置６０を遊技領域の側部に配した場合は、幅方向である。また、演出装置６０の開口の開き方向は、前記下方向、前記上方向及び前記幅方向のぞれぞれの方向に対して傾斜させた方向であっても良い。
【０１０３】
また、幅方向とは、前後方向に対して直交する方向をいう。さらに、厚さ方向とは、前後方向に対して直交する方向であって、幅方向とは異なる方向をいう。
【０１０４】
図１３（ａ）において、前後方向とは、斜め左上及び斜め右下の方向であり、また、幅方向とは、ほぼ左右の方向であり、さらに、厚さ方向とは、上下方向である。
【０１０５】
なお、開口は、遊技領域１０又はベース部材６１の少なくとも一方に設けられている。この実施形態では、ベース部材６１に開口６１２が開設されている。また、遊技領域１０を構成する側枠部１２５に開設され、開口６１２に前後方向で対応させた開口１７を図１に示す。
【０１０６】
次に、ベース部材６１について、図１３及び図１４を参照にして説明する。図１４（ａ）は、ベース部材６１を省略した演出装置６０を斜め上前方から見たときの斜視図であり、一対の開閉部材を閉じ、演出用内部材を前方から覆ったときの図、図１４（ｂ）は、同じく、一対の開閉部材を開き、演出用内部材を前方に露出させたときの図、図１４（ｃ）は、斜め下前方から見たときの演出装置６０の斜視図である。
【０１０７】
ベース部材６１は、前ベース６１１と後ベース６２１とを有している。前ベース６１１は、開口６１２を有している。開口６１２は、前ベース６１１に開設され、前後方向に開いた略円形状に形成されている。前ベース６１１は、開口６１２の開き方向を遊技者の方向とするように側枠部１２５にネジ止めされている。
【０１０８】
前ベース６１１は、矩形状の枠部６１３を有している。枠部６１３の上辺部は一対の前ガイド溝６１４を有している。前ガイド溝６１４は、枠部６１３と一体的に形成されている。一対の前ガイド溝６１４は、前後方向に対して直交する断面が略コ字形状に形成され、幅方向で互いに対向配置され、スライド部材６８の前部を前後方向に案内移動可能に嵌合させている。枠部６１３の側辺部の複数箇所には、後方に延ばされた軸状部６１６が一体的に形成されている。
【０１０９】
前方に案内されたスライド部材６８を図１３（ａ）及び図１４（ａ）に示す。また、後方に案内されたスライド部材６８を図１３（ｂ）及び図１４（ｂ）に示す。なお、スライド部材６８の詳細については後述する。
【０１１０】
後ベース６２１は、前ベース６１１の後方に配されている。後ベース６２１は、前ベース６１１の軸状部６１６にネジ部材により結合されている。前ベース６１１と後ベース６２１との間には、演出用内部材６３及び演出用外部材６４を収容するための収容空間が形成されている。
【０１１１】
後ベース６２１は、前方に開放した箱形に形成され、矩形状の壁部６２２を有している。壁部６２２の上壁部は、一対の後ガイド溝６２４を有している。後ガイド溝６２４は、壁部６２２と一体的に形成されている。一対の後ガイド溝６２４は、前後方向に対して直交する断面が略コ字形状に形成され、幅方向で互いに対向配置され、スライド部材６８の後部を前後方向に案内移動可能に嵌合させている。後ベース６２１の両側壁部には、前方に延ばされた一対の軸支部６２７が一体的に形成されている。
【０１１２】
次に、ベース部材６１に支持された演出用内部材６３について、図１３及び図１４を参照にして説明する。
【０１１３】
演出用内部材６３は、略球形状に形成されている。演出用内部材６３の略半分は開口６１２から前方へ出っ張らせるように開口６１２に嵌め込まれている。演出用内部材６３は、前後方向に対して直交する幅方向に延びる回転軸６３１を中心にして回動可能に後ベース６２１の軸支部６２７に支持されている。回転軸６３１は、演出用内部材６３の両側部から幅方向にそれぞれ突設されている。
【０１１４】
前述したように、前ベース６１１は、開口６１２の開き方向を遊技者の方向となるように側枠部１２５に支持され、その前ベース６１１に後ベース６２１が結合され、その後ベース６２１に回転軸６３１が支持されているため、回転軸６３１は遊技者の方へ傾斜している。回転軸６３１を遊技者の方へ傾斜させることにより、遊技者に対する演出用内部材６３の視認性を向上させることが可能となる。
【０１１５】
なお、後ベースを側枠部１２５に直接支持しても良く、このとき、回転軸６３１を遊技者の方へ傾斜させるようにしても良い。また、演出用内部材６３を開口６１２から前方に出っ張らせる量を、演出用内部材６３の略半分より少なくしても良く、無くしても良い。
【０１１６】
次に、ベース部材６１に支持された演出用外部材６４について図１３及び図１４を参照にして説明する。
【０１１７】
演出用外部材６４は、略球形状の演出用内部材６３の略半分を両開き扉状に開閉可能な球面状の２つの開閉部材６４１を有している。演出用外部材６４は、前後方向に対して直交し、幅方向に対しても直交する厚さ方向に延びる枢支軸６４３を中心にして開閉可能に前ベース６１１及び後ベース６２１に支持されている。開閉部材６４１は、経方向で略９０度分に相当する外殻形状に形成され、緯方向で略９０度の位置に相当する両極部に一体的に突設された枢支軸６４３を図１４（ｂ）、（ｃ）に示す。なお、一対の開閉部材６４１を支持する構成については、後述する。
【０１１８】
演出用外部材６４は、２つの開閉部材６４１を互いに合わせたとき演出用内部材６３の略半分を前方から覆い、２つの開閉部材６４１を互いに離間させたとき演出用内部材６３の略半分を前方へ露出するように、演出用内部材６３に沿って開閉する。演出用内部材６３の略半分を前方へ大きく露出させるので、視覚的な演出効果が増す。なお、２つの開閉部材６４１は、各枢支軸６４３を中心にして開閉するが、共通の枢支軸６４３を中心にして開閉するようにしても良い。
【０１１９】
なお、演出用内部材６３及び演出用外部材６４の形は、上記形状に限らない。例えば、演出用内部材６３を略円板形状に形成し、略円板形状の中心を貫通させるように回転軸６３１を設けても良い。この場合、前ベース６１１の開口６１２を略矩形状に形成し、演出用内部材６３の半円形状の部分を開口６１２から前方へ出っ張らせるように開口６１２に嵌め込む。また、開閉部材６４１を演出用内部材６３の円周面及び側面に沿って開閉するように構成する。
【０１２０】
演出装置６０は、演出用内部材６３及び演出用外部材６４を駆動するための部材である、出力部材６５、駆動源６６、回動アーム６７、スライド部材６８、開閉アーム６９、第１中継リンク７３及び第２中継リンク７４を有している。
【０１２１】
先ず、出力部材６５について、図１３から図１５を参照にして説明する。図１５は、ベース部材６１を省略し、演出用内部材６３、演出用外部材６４及びスライド部材６８等をほぼ幅方向から見たときの斜視図であり、（ａ）は、出力部材６５を上方に移動させたときの図、（ｂ）は、出力部材６５を下方に移動させたときの図である。
【０１２２】
出力部材６５は、演出用内部材６３の後方に配されている。出力部材６５は、前後方向に対し略直交する厚さ方向（上下方向）に往復移動可能に後ベース６２１に支持されている。出力部材６５は、プレート状部６５１、プレート状部６５１から上方に凸設させた舌片状上凸部６５２及びプレート状部６５１から下方に凸設させた舌片状下凸部６５３が一体的に形成されている。プレート状部６５１には、下方に開いた略Ｃ字形溝断面の嵌合溝６５４が形成されている。舌片状上凸部６５２は長穴６５５を有し、また、舌片状下凸部６５３は長穴６５６を有している。
【０１２３】
次に、駆動源６６について図８及び図１３から図１５を参照にして説明する。駆動源６６は、プル形のソレノイドであり、後ベース６２１の後面に設けられている。駆動源６６を制御するソレノイド制御基板８５を図８に示す。駆動源６６は、厚さ方向である上下方向に移動可能な可動体６６１、及び可動体６６１を上方向に付勢するコイルバネ６６２を有している。可動体６６１は、出力部材６５のプレート状部６５１の嵌合溝６５４に嵌め込まれている。出力部材６５は、駆動源６６を介して後ベース６２１の後面に厚さ方向（上下方向）に往復移動可能に支持されている。
【０１２４】
ソレノイド制御基板８５は、駆動源６６に通電し、可動体６６１をコイルバネ６６２の付勢力に抗して下方向に移動させ、出力部材６５を下方向に移動させる。また、ソレノイド制御基板８５は、駆動源６６を非通電にし、可動体６６１をコイルバネ６６２の付勢力により上方向に移動させ、出力部材６５を上方向に移動させる。
【０１２５】
次に、回動アーム６７について図１３から図１５を参照にして説明する。回動アーム６７は、演出用内部材６３と一体的に回動可能に設けられている。回動アーム６７は、演出用内部材６３から後ベース６２１の方へ延ばされ、出力部材６５側に連結され、出力部材６５の往復移動に応じて演出用内部材６３を回動させて演出させる。回動アーム６７は、回転軸６３１を突設した演出用内部材６３の側部から後方へ延ばされている。
【０１２６】
回動アーム６７を出力部材６５に間接的に連結することにより、出力部材６５の往復移動量に対する回動アーム６７の回動量を調整し易くなる。回動アーム６７は、出力部材６５に間接的に連結されるが、直接的に連結されても良い。その場合、回動アーム６７を出力部材６５に直接的に連結することにより、部品点数を削減することが可能となる。
【０１２７】
次に、開閉アーム６９について図１３から図１５を参照にして説明する。開閉アーム６９は、枢支軸６４３を中心にして各開閉部材６４１と一体的にそれぞれ移動可能に設けられている。開閉アーム６９は、枢支軸６４３を突設した開閉部材６４１の極部から幅方向に延ばされ、開閉アーム６９の先端部には連結用突起６９１が突設されている。
【０１２８】
次に、一対の開閉部材６４１を支持する構成について図１３（ａ）及び図１６を参照にして説明する。図１６は、開閉部材６４１の支持構造等を示す断面図であり、（ａ）は図１３のＸＶＩＡ−ＸＶＩＡ線断面図、（ｂ）は図１３のＸＶＩＢ−ＸＶＩＢ線断面図である。
【０１２９】
後ベース６２１の厚さ方向（上下方向）で対向する上壁部である壁部６２２は、前ベース６１１の方へ延ばされた延出部６２５を有している。延出部６２５は、後ガイド溝６２４の溝底部から連なるように形成されている。
【０１３０】
前ベース６１１は、後ベース６２１の方へ突出し、延出部６２５に当接する突出部６１５を有している。延出部６２５と突出部６１５とに挟まれるようにして支持された枢支軸６４３を図１６（ｂ）に示す。
【０１３１】
前ベース６１１と後ベース６２１を前後方向で組み合わせるとき、同時に、後ベース６２１の延出部６２５と前ベース６１１の突出部６１５とにより、枢支軸６４３を回転可能に支持するので、一対の開閉部材６４１の組立性が向上する。
【０１３２】
開閉アーム６９は、延出部６２５及び突出部６１５に対して接するように又は厚さ方向（上下方向）に隙間をもって配されている。厚さ方向で重なるように配されたスライド部材６８と、延出部６２５及び突出部６１５と、開閉アーム６９とを図１６（ａ）、（ｂ）にそれぞれ示す。上記スライド部材６８等の４つの部品を厚さ方向に重ねるように配したので、演出装置６０の厚さ方向での小型化を図ることができる。
【０１３３】
開閉アーム６９は、スライド部材６８を介して出力部材６５側に連結され、出力部材６５の往復移動に応じて各開閉部材６４１を開閉させて演出させる。スライド部材６８を出力部材６５に間接的に連結されるが、直接的に連結されても良い。スライド部材６８を出力部材６５に間接的に連結することにより、出力部材６５の往復移動量に対するスライド部材６８の移動量を調整し易くなる。一方、スライド部材６８を出力部材６５に直接的に連結することにより、部品点数を削減することが可能となる。
【０１３４】
次に、スライド部材６８を出力部材６５側に連結させる構造、及び、回動アーム６７を出力部材６５側に連結させる構造について、図１３から図１５を参照にして説明する。これらの構造は、第１回転軸７１、第２回転軸７２、第１中継リンク７３及び第２中継リンク７４により構成されている。
【０１３５】
第１回転軸７１は、幅方向に延ばされ、後ベース６２１の後面側の上部に軸支されている。また、第２回転軸７２は、幅方向に延ばされ、後ベース６２１の後面側の下部に軸支されている。
【０１３６】
第１中継リンク７３は、第１回転軸７１を中心にして回動可能に支持されている。第１中継リンク７３の第１入力部７３１は、第１回転軸７１から後方へ延ばされ、出力部材６５の舌片状上凸部６５２の長穴６５５に係合する第１入力ピン７３２を有する。第１中継リンク７３の第１出力部７３３は、第１入力部７３１と一体的に形成され、第１回転軸７１から略厚さ方向（上方向）に延ばされ、スライド部材６８に係合する。なお、開閉部材６４１を閉じるとき、スライド部材６８を前方に移動させるために、略厚さ方向（上方向）に対して斜め前方向に延びた第１出力部７３３を図１５（ａ）に示す。また、開閉部材６４１を開くとき、スライド部材６８を後方に移動させるために、略厚さ方向（上方向）に対して斜め後方向に延びた第１出力部７３３を図１５（ｂ）に示す。
【０１３７】
ここで、スライド部材６８及びスライド部材６８の支持構造について、図１３、図１５及び図１６を参照にして説明する。
【０１３８】
スライド部材６８は、各開閉部材６４１から厚さ方向（上方向）で離間した位置に配され、前後方向に往復移動可能に前ベース６１１の前ガイド溝６１４及び後ベース６２１の後ガイド溝６２４に支持されている。スライド部材６８は、略Ｔ字形の板状に形成されている。スライド部材６８は、幅方向に広く形成された前部と、狭く形成された後部とを有している。
【０１３９】
スライド部材６８の前部は、一対の連結用孔６８１を有している。また、スライド部材６８の後部は、係合穴６８２を有している。一対の開閉アーム６９は、一対の連結用孔６８１にそれぞれ係合する連結用突起６９１を有している。それにより、開閉アーム６９は、スライド部材６８の前後方向の動きを、開閉部材６４１の開閉動作に変換する。また、第１中継リンク７３の第１出力部７３３は、スライド部材６８の係合穴６８２に係合している。
【０１４０】
スライド部材６８を開閉部材６４１から厚さ方向（上方向）で離間した位置に配し、スライド部材６８を板状に形成し、スライド部材６８の一対の連結用孔６８１に一対の開閉アーム６９の各連結用突起６９１を係合させたので、演出装置６０を厚さ方向で嵩張らせずに済む。さらに、スライド部材６８の前部を一対の前ガイド溝６１４により案内可能に支持し、スライド部材６８の後部を一対の後ガイド溝６２４により案内可能に支持したので、スライド部材６８を安定的に案内移動させることが可能となる。
【０１４１】
以上の構成によれば、出力部材６５を厚さ方向（上下方向）に往復移動させると、第１中継リンク７３、スライド部材６８及び開閉アーム６９を介して、演出用外部材６４である一対の開閉部材６４１が演出用内部材６３に沿って開閉する。
【０１４２】
第２中継リンク７４は、第２回転軸７２を中心にして回動可能に支持されている。第２中継リンク７４の第２入力部７４１は、第２回転軸７２から後方へ延ばされ、出力部材６５の舌片状下凸部６５３の長穴６５６に係合する第２入力ピン７４２を有する。第２中継リンク７４の第２出力部７４３は、第２入力部７４１と一体的に形成され、第２回転軸７２から略前方に延ばされ、回動アーム６７のピン部材６７１に係合する凹部７４４を有する。なお、演出用内部材６３を上方に回動させるとき、回動アーム６７を下方に揺動させるために、略前方に対して斜め下方向に延びた第２出力部７４３を図１５（ａ）に示す。また、演出用内部材６３を下方に回動させるとき、回動アーム６７を上方に揺動させるために、略前方に対して斜め下方向に延びた第２出力部７４３を図１５（ｂ）に示す。
【０１４３】
以上の構成によれば、出力部材６５を厚さ方向（上下方向）に往復移動させると、第２中継リンク７４及び回動アーム６７を介して、演出用内部材６３を上下方向に回動させる。
【０１４４】
第１中継リンク７３及び第２中継リンク７４を設けたことにより、出力部材６５の厚さ方向の往復移動を、演出用内部材６３と演出用外部材６４との２つの系統に伝達可能となり、部品点数を減少させることができる。
【０１４５】
また、出力部材６５、駆動源６６、回動アーム６７、スライド部材６８、開閉アーム６９を演出用内部材６３等の後方や厚さ方向に配したので、それらの部材の配置スペースが幅方向に広がるのを防止可能となる。
【０１４６】
第１回転軸７１、第２回転軸７２、第１中継リンク７３及び第２中継リンク７４の位置関係について、さらに詳細に説明する。
【０１４７】
第１回転軸７１は、後ベース６２１の後面側に配されている。後ベース６２１は、前後方向に貫通する貫通孔６２６を有している。第１出力部７３３は、第１入力部７３１より長めに形成され、第１回転軸７１から後ベース６２１の後面に沿って略厚さ方向（上方向）に延ばされている。また、第２出力部７４３は、第２入力部７４１より長めに形成され、第２回転軸７２から貫通孔６２６を通って後ベース６２１の略前方に延ばされている。
【０１４８】
第２回転軸７２から第２入力部７４１の先端部までの長さをＬ１とし、第２回転軸７２から第２出力部７４３の先端部までの長さをＬ２とし、それらの比（Ｌ２／Ｌ１）について述べる。第２回転軸７２を後ベース６２１の後面側に配し、第２出力部７４３を第２回転軸７２から貫通孔６２６に通して前方へ延ばしたときの長さＬ２は、第２回転軸７２を後ベース６２１の前面側に配し、第２出力部７４３を第２回転軸７２から単に前方へ延ばしたときの長さＬ２より、長くすることが可能である。長さＬ１を一定とすると、第２出力部７４３を第２回転軸７２から貫通孔６２６に通して前方へ延ばしたときの比（Ｌ２／Ｌ１）方が、第２出力部７４３を第２回転軸７２から単に前方へ延ばしたときのその比（Ｌ２／Ｌ１）より、大きくなる。以上により、第１入力部７３１及び第２入力部７４１の厚さ方向の移動量に対して、第１出力部７３３及び第２出力部７４３を大きく移動させることが可能となる。
【０１４９】
第１入力部７３１の厚さ方向の移動量に対して、第１出力部７３３を大きく移動させるため、演出用外部材６４である一対の開閉部材６４１を大きく開閉させることができ、また、第２入力部７４１の厚さ方向の移動量に対して、第２出力部７４３を大きく移動させるため、演出用内部材６３を大きく回動させることができる。
【０１５０】
次に、演出用内部材６３に対して後方から光を照射するための発光手段及び導光部について、図１７を参照にして説明する。図１７は、発光手段と導光部との相対的な位置関係を示す説明図であり、図１７（ａ）は一対の開閉部材６４１を開き、演出用内部材６３を下方に回動させたときの図であり、図１７（ｂ）は一対の開閉部材６４１を閉じ、演出用内部材６３を上方に回動させたときの図である。
【０１５１】
演出用内部材６３は、中空に形成されている。演出用内部材６３の後部６３２は後方へ開放されている。演出用内部材６３を後方から臨むように発光手段７５が配設されている。発光手段７５はＬＥＤ（Ｌｉｇｈｔ  Ｅｍｉｔｔｉｎｇ  Ｄｉｏｄｅ）であり、回路基板７６に実装されている。後ベース６２１の前面に支持された回路基板７６を図１４（ｃ）に示す。発光手段７５を回路基板７６を介して後ベース６２１に支持したので、発光手段７５を演出用内部材６３と共に回動させずに済み、発光手段７５への配線が容易となる。
【０１５２】
導光部６３５は、演出用内部材６３の中空内に配され、演出用内部材６３と一体的に形成されている。導光部６３５を演出用内部材６３と一体的に形成したので、部品点数を削減可能となる。導光部６３５は、中空軸形状に形成され、演出用内部材６３の前面部６３３の裏側６３４の中央１箇所から演出用内部材６３の後部６３２に延ばされている。これに限らず、導光部６３５は、演出用内部材６３の前面部６３３の予め定められた１又は複数の箇所から延ばすようにすれば良い。
【０１５３】
次に、発光手段７５と導光部６３５との相対的な位置関係を説明する。演出用内部材６３を下方に回動させたとき、発光手段７５に対向する導光部６３５の後端６３６を図１７（ａ）に示す。発光手段７５を点灯したとき、発光手段７５からの光は導光部６３５を通って演出用内部材６３の前面部６３３に有効に導かれ、演出用内部材６３の中空内に分散し難くなり、前面部６３３を裏側から照射する。
【０１５４】
また、演出用内部材６３を上方に回動させたとき、及び、上方又は下方に回動させているとき、発光手段７５から外れる導光部６３５の後端６３６を図１７（ｂ）に示す。発光手段７５を点灯したとき、発光手段７５からの光は導光部６３５を通ることなく、演出用内部材６３の前面部６３３の全体を裏側から照射する。
【０１５５】
次に、演出用外部材６４の一対の開閉部材６４１を閉じた状態、及び、演出用外部材６４等と発光手段７５との制御について図８及び図１８を参照にして説明する。図１８は、演出装置６０の正面図である。
【０１５６】
一対の開閉部材６４１を閉じた状態において、開口６１２の前方位置で互いに合わさる２つの開閉部材６４１の両端縁６４２は、互いに合わさるとき両端縁６４２の間に隙間６４４を生じるように形成されている。なお、開閉部材６４１の両端縁６４２の一方を隙間６４４が生じるように形成しても良い。
【０１５７】
演出用外部材６４等と発光手段７５とは、サブ制御基板８２により制御される。発光手段７５を含む表示ランプ、駆動源６６、ランプ及び音等を制御するサブ制御基板８２を図８に示す。サブ制御基板８２は、ソレノイド制御基板８５に制御信号を出力することにより、駆動源６６を制御し、また、発光手段７５の点灯を制御する。
【０１５８】
（演出装置の動作）
次に、演出装置６０の動作を説明する。駆動源６６により、出力部材６５を厚さ方向（上下方向）に往復移動させると、第２中継リンク７４及び回動アーム６７を介して、演出用内部材６３を上下方向に回動させる。また、出力部材６５を厚さ方向（上下方向）に往復移動させると、第１中継リンク７３、スライド部材６８及び開閉アーム６９を介して、演出用外部材６４である一対の開閉部材６４１を演出用内部材６３に沿って開閉させる。
【０１５９】
以上のように、１つの駆動源６６及び１つの出力部材６５により、演出用内部材６３及び一対の開閉部材６４１の３つの部材を異なる方向にそれぞれ移動させたので、演出的な効果を高めるとともに、部品点数を削減することができる。また、これらの３つの部材の各方向の動きを同時に視認可能となり、演出効果をさらに高めることができる。
【０１６０】
サブ制御基板８２は、発光手段７５を点灯させた後に、駆動源６６を制御し、演出用外部材６４である一対の開閉部材６４１が開き、２つの開閉部材６４１を開口６１２の前方位置から互いに離間させ、演出用内部材６３が回転軸６３１を中心に下方に回動させる。
【０１６１】
発光手段７５を点灯させた後から２つの開閉部材６４１を離間させる前までの間において、発光手段７５の点灯によって内部から全体的に照らされている演出用内部材６３を、２つの開閉部材６４１間の隙間６４４を通して遊技者が視認可能となり、視覚的な演出効果を向上させる。
【０１６２】
２つの開閉部材６４１を離間させ、開口６１２が開き、演出用内部材６３が下方に回動すると、導光部６３５の後端６３６が発光手段７５に対向し、発光手段７５からの光が導光部６３５を通って演出用内部材６３の前面部６３３の中央１箇所を集中的に照らす。それにより、視覚的な演出効果が一層高まる。
【０１６３】
次に、演出用可動体２０と演出装置６０との動作について説明する。
サブ制御基板８２は、動力源２１及び駆動源６６をそれぞれ制御し、演出用可動体２０の駆動リンク２２を第１位置に揺動させたとき、演出装置６０の一対の開閉部材６４１を開き、演出用内部材６３を下方に回動させる。また、駆動リンク２２を第２位置に揺動させたとき、一対の開閉部材６４１を閉じ、演出用内部材６３を上方に回動させる。演出用可動体２０と演出装置６０とを連動させ、視覚的な演出効果をさらに高めることが可能となる。
【図面の簡単な説明】
【０１６４】
【図１】この発明の一実施形態に係る遊技機の遊技盤を示す正面図である。
【図２】（ａ）は駆動リンクを第１位置に揺動したときの演出用可動体を裏側から見た斜視図、（ｂ）は第２従動リンク及び長尺体を部分的に示す部分拡大図である。
【図３】（ａ）は駆動リンクを第２位置に揺動したときの演出用可動体を裏側から見た斜視図、（ｂ）は第２従動リンク及び長尺体を部分的に示す部分拡大図である。
【図４】連結部材及び連結部材の支持構造の断面図である。
【図５】駆動リンクを第１位置と第２位置とに揺動したときの演出用可動体を表側から見た正面図である。
【図６】駆動リンク及び従動体の動作説明図である。
【図７】第１従動リンクの横断面図である。
【図８】制御ブロック図である。
【図９】第１従動リンクの斜視図である。
【図１０】第１従動リンクの六面図及び縦断面図である。
【図１１】第１従動リンク同士を接続するときの説明図である。
【図１２】第３従動リンク及び動力源の制御の説明図である。
【図１３】演出装置の斜視図である。
【図１４】演出装置の部分斜視図である。
【図１５】演出装置の主要部材をほぼ幅方向から見たときの斜視図である。
【図１６】前ガイド及び後ガイドなどの断面図である。
【図１７】発光手段と導光部との相対的な位置関係を示す説明図である。
【図１８】演出装置の正面図である。
【符号の説明】
【０１６５】
１０  遊技領域    １１  遊技盤    １２  枠体    １２１  前枠    １２２  後枠
１２３  窓枠部    １２４  上枠部    １２５    側枠部    １２６  支持部
１２７  係止溝    １２８  嵌合部    １２９  係合突起    １３  ガイドレール
１４  特別入賞口    １５  大入賞口    １６  連結部材    １６１  首部
１６２  頭部    １６３  肩部    １６４  被係合溝    １７  開口    
２０  演出用可動体    ２１  動力源    ２１１  ステッピングモーター    
２１２  減速機構    ２２  駆動リンク    ２２１  駆動リンクの一端部    
２２２  駆動リンクの他端部    ２３  動力アーム    ２３１  通過穴    
２４  中継アーム    ３０  従動体    ４０  従動リンク    ４０１  内部空間    
４０２  通し穴    ４１  壁体    ４１１  表壁    ４１２  側壁    ４２  アーム
４２１  円周部    ４２２  枢支部    ４３  枢軸    ４３１  枢軸の表側端部
４３２  枢軸の裏側端部    ４４  支持構造  ４４１  係止片    ４４２  弾性片    
４４３  弾性片の先端部    ４４４  傾斜面    ４４５  切り欠き部    ４４６  脚部
４５  振り子    ４６  装飾部    ５０  長尺体    ５０１  抜け止め構造    
５１  長尺体の端部    ６０  演出装置    ６１  ベース部材  ６１１  前ベース
６１２  開口    ６１３  枠部    ６１４  前ガイド溝    ６１５  突出部
６１６  軸状部  ６２１  後ベース    ６２２  壁部    ６２４  後ガイド溝    
６２５  延出部    ６２６  貫通孔    ６２７  軸支部    ６３  演出用内部材    
６３１  回転軸    ６３２  演出用内部材の後部    ６３３  演出用内部材の前面部    
６３４  前面部の裏側    ６３５  導光部    ６３６  導光部の後端    
６４  演出用外部材    ６４１  開閉部材    ６４２  開閉部材の端縁    
６４３  枢支軸    ６４４  隙間    ６５  出力部材    ６５１  プレート状部    
６５２  舌片状上凸部    ６５３  舌片状下凸部    ６５４  嵌合溝    ６５５  長穴
６５６  長穴    ６６  駆動源    ６６１  可動体    ６６２  コイルバネ
６７  回動アーム    ６７１  ピン部材    ６８  スライド部材    
６８１  連結用孔    ６８２  係合穴    ６９  開閉アーム    ６９１  連結用突起
７１  第１回転軸    ７２  第２回転軸    ７３  第１中継リンク    
７３１  第１入力部    ７３２  第１入力ピン    ７３３  第１出力部
７４  第２中継リンク    ７４１  第２入力部    ７４２  第２入力ピン    
７４３  第２出力部    ７４４  凹部    ７５  発光手段    ７６  回路基板    
８１  主制御基板    ８２  サブ制御基板（制御部）    ８３  モーター制御基板    
８４  位置検知スイッチ    ８５  ソレノイド制御基板
【図１】
2010012042.tif 000003
【図２】
2010012042.tif 000004
【図３】
2010012042.tif 000005
【図４】
2010012042.tif 000006
【図５】
2010012042.tif 000007
【図６】
2010012042.tif 000008
【図７】
2010012042.tif 000009
【図８】
2010012042.tif 000010
【図９】
2010012042.tif 000011
【図１０】
2010012042.tif 000012
【図１１】
2010012042.tif 000013
【図１２】
2010012042.tif 000014
【図１３】
2010012042.tif 000015
【図１４】
2010012042.tif 000016
【図１５】
2010012042.tif 000017
【図１６】
2010012042.tif 000018
【図１７】
2010012042.tif 000019
【図１８】
2010012042.tif 000020